(57)【要約】      （修正有）【課題】打球の飛距離及び方向性を向上させつつ、打音を低減し、打感を和らげることが可能なゴルフクラブヘッド及びそれを備えるゴルフクラブを提供する。【解決手段】ゴルフクラブヘッドは、シャフト２０に取り付け可能なヘッド本体２を備えるアイアン型のゴルフクラブヘッド１であって、ヘッド本体が、フェース部３と、フェース部の背面に接着される板状の弾性部１０と、弾性部におけるフェース部と反対の側の面に接着され、弾性部よりも重い板状のウェイト部１１とを有し、ヘッド本体の横慣性モーメントが２５００ｇ・ｃｍ２以上であり、ヘッド本体の重心点での反発係数が０．８以上であり、弾性部の平均厚さが１ｍｍ以上であり、弾性部及びウェイト部の合計質量が１５ｇ以上である。【選択図】図３
0003226471.tif 000002
【実用新案登録請求の範囲】
【請求項１】
シャフトに取り付け可能なヘッド本体を備えるアイアン型のゴルフクラブヘッドであって、
前記ヘッド本体が、
フェース部と、
前記フェース部の背面に接着される板状の弾性部と、
前記弾性部における前記フェース部と反対の側の面に接着され、前記弾性部よりも重い板状のウェイト部と
を有し、
前記ヘッド本体の横慣性モーメントが２５００ｇ・ｃｍ２以上であり、
前記ヘッド本体の重心点での反発係数が０．８以上であり、
前記弾性部の平均厚さが１ｍｍ以上であり、
前記弾性部及び前記ウェイト部の合計質量が１５ｇ以上であるゴルフクラブヘッド。
【請求項２】
前記ヘッド本体が、前記フェース部の背面側に配置されるキャビティ部をさらに有する請求項１に記載のゴルフクラブヘッド。
【請求項３】
前記合計質量が２０ｇ以上である請求項１又は請求項２に記載のゴルフクラブヘッド。
【請求項４】
前記ウェイト部が銘板である請求項１、請求項２又は請求項３に記載のゴルフクラブヘッド。
【請求項５】
前記弾性部が、板状のアクリル基材と、前記アクリル基材の両面に配置される粘着剤とを有する両面テープである請求項１から請求項４のいずれか１項に記載のゴルフクラブヘッド。
【請求項６】
シャフトと、前記シャフトに取り付け可能なヘッド本体を有するアイアン型のゴルフクラブヘッドとを備えるゴルフクラブであって、
前記ヘッド本体が、
フェース部と、
前記フェース部の背面に接着される板状の弾性部と、
前記弾性部における前記フェース部と反対の側の面に接着され、前記弾性部よりも重い板状のウェイト部と
を有し、
前記ヘッド本体の横慣性モーメントが２５００ｇ・ｃｍ２以上であり、
前記ヘッド本体の重心点での反発係数が０．８以上であり、
前記弾性部の平均厚さが１ｍｍ以上であり、
前記弾性部及び前記ウェイト部の合計質量が１５ｇ以上であるゴルフクラブ。
【考案の詳細な説明】
【技術分野】
【０００１】
本考案は、ゴルフクラブヘッド及びゴルフクラブに関する。
【背景技術】
【０００２】
アイアン型のゴルフクラブヘッドとして、キャビティ部を有することで横慣性モーメントを大きくし、比較的厚みが小さい（薄肉の）フェース部を有することで反発係数を高めたヘッド本体を備えるものが用いられている。
【０００３】
このようにキャビティ部を有し、薄肉のフェース部を有するヘッド本体は、打音が比較的甲高くて大きいため、耳障りとなる。また、打球時の振動が減衰し難いため、プレーヤーの打感に悪影響を及ぼすおそれがある。
【０００４】
そこで、打音を小さくすべく、フェース部の背面に、両面テープ等の粘弾性体を介して樹脂プレートや銘板を貼り付けることが提案されている（特開２００８−１２５８１１号公報、特開２０１２−１７２８４１号公報参照）。
【先行技術文献】
【特許文献】
【０００５】
【特許文献１】特開２００８−１２５８１１号公報
【特許文献２】特開２０１２−１７２８４１号公報
【考案の概要】
【考案が解決しようとする課題】
【０００６】
前記特許文献１、２のゴルフクラブヘッドでは、未だ打音が十分に小さいとはいい難く、打感が十分に和らげられているともいい難い。このため、さらなる打音の低減及び打感の和らげが要求されている。
【０００７】
一方、前記クラブヘッドは、前記横慣性モーメントを大きくすることで打球の方向性が向上し、前記反発係数を大きくすることで打球の飛距離が向上する。しかし、前記横慣性モーメント及び前記反発係数を大きくする程、キャビティ部の大型化及びフェース部の薄肉化が進むため、打音が大きくなり、振動も大きくなる。
【０００８】
本考案は、前記事情に鑑み、打球の飛距離及び方向性を向上させつつ、打音を低減し、打感を和らげることが可能なゴルフクラブヘッド及びそれを備えるゴルフクラブを提供することを課題とする。
【課題を解決するための手段】
【０００９】
前記課題を解決するためになされた本考案の一態様に係るゴルフクラブヘッドは、シャフトに取り付け可能なヘッド本体を備えるアイアン型のゴルフクラブヘッドであって、前記ヘッド本体が、フェース部と、前記フェース部の背面に接着される板状の弾性部と、前記弾性部における前記フェース部と反対の側の面に接着され、前記弾性部よりも重い板状のウェイト部とを有し、前記ヘッド本体の横慣性モーメントが２５００ｇ・ｃｍ２以上であり、前記ヘッド本体の重心点での反発係数が０．８以上であり、前記弾性部の平均厚さが１ｍｍ以上であり、前記弾性部及び前記ウェイト部の合計質量が１５ｇ以上である。
【００１０】
前記ヘッド本体が、前記フェース部の背面側に配置されるキャビティ部をさらに有するとよい。
【００１１】
前記合計質量としては、２０ｇ以上が好ましい。
【００１２】
前記ウェイト部としては、銘板が好ましい。
【００１３】
前記弾性部としては、板状のアクリル基材と、前記アクリル基材の両面に配置される粘着剤とを有する両面テープが好ましい。
【００１４】
前記課題を解決するためになされた本考案の一態様に係るゴルフクラブは、シャフトと、前記シャフトに取り付け可能なヘッド本体を有するアイアン型のゴルフクラブヘッドとを備えるゴルフクラブであって、前記ヘッド本体が、フェース部と、前記フェース部の背面に接着される板状の弾性部と、前記弾性部における前記フェース部と反対の側の面に接着され、前記弾性部よりも重い板状のウェイト部とを有し、前記ヘッド本体の横慣性モーメントが２５００ｇ・ｃｍ２以上であり、前記ヘッド本体の重心点での反発係数が０．８以上であり、前記弾性部の平均厚さが１ｍｍ以上であり、前記弾性部及び前記ウェイト部の合計質量が１５ｇ以上である。
【００１５】
なお、「フェース部」とは、打撃面を有する部分を意味する。「背面側」とは、打撃面と反対の側を意味する。「横慣性モーメント」とは、シャフトが６０°のライ角度に据えられた状態でのヘッド本体の重心を通る垂直軸周りの慣性モーメントを意味する。「反発係数」とは、フェース部の打撃面における重心点での反発係数（ＣＯＲ）を意味する。「打撃面における重心点」とは、ヘッド本体の重心を通りフェース面と垂直に交差する線（法線）とフェース面との交点を意味する。
【００１６】
「平均厚さ」とは、弾性部の任意の５点の厚さの平均値を意味し、また、弾性部をフェース部に接着するための接着剤の厚さ及びウェイト部を弾性部に接着するための接着剤の厚さを含めた厚さを意味する。以下において、「前」とは、打撃する側を意味し、「後」とはその反対側を意味する。「背面側」は、「後方」に相当する。「上下方向」とは、予め設定されているロフト角及びライ角となるように当該ゴルフクラブヘッドを水平面に設置した状態における上下方向を意味し、「トウ・ヒール方向」とは、前記状態における前後方向と垂直な水平方向を意味する。
【考案の効果】
【００１７】
本考案に係るゴルフクラブヘッドは、前記横慣性モーメント及び前記反発係数がそれぞれ前記範囲であり、前記弾性部及び前記ウェイト部を備えることで、打球の飛距離及び方向性を向上させつつ、打音を低減し、打感を和らげることが可能となる。本考案に係るゴルフクラブは、前記ゴルフクラブヘッドを備えているため、前記と同様、打球の飛距離及び方向性を向上させつつ、打音を低減し、打感を和らげることが可能である。
【図面の簡単な説明】
【００１８】
【図１】本考案の一実施形態に係るゴルフクラブヘッドの模式的正面図（前面図）である。
【図２】本考案の一実施形態に係るゴルフクラブヘッドを後方から視た模式的斜視図である。
【図３】図１のＩＩＩ−ＩＩＩ矢視断面図である。
【考案を実施するための形態】
【００１９】
以下、適宜図面を参照しつつ、本考案の実施の形態を詳説する。
【００２０】
［第１実施形態］
＜ゴルフクラブヘッド＞
図１、図２及び図３に、本考案の一実施形態に係るアイアン型のゴルフクラブヘッド１を示す。
【００２１】
図１〜図３に示すように、当該ゴルフクラブヘッド１は、シャフト２０に取り付け可能なヘッド本体２を備える。図１〜図３では、当該ゴルフクラブヘッド１がシャフト２０に取り付けられた状態を示す。
【００２２】
（ヘッド本体）
ヘッド本体２は、シャフト２０に取り付け可能なものである。ヘッド本体２は、フェース部３と、フェース部３の下縁から背面側（後方）に延びるソール部４と、フェース部３の上縁から背面側（後方）に延びるトップ部５と、フェース部３のトウ側から後方に延びるトウ部６と、フェース部３のヒール側（先端側と反対の側）に設けられるヒール部７と、ヒール部７に連続して設けられるホーゼル部８とを備える。当該ゴルフクラブヘッド１は、フェース部３、ソール部４、トップ部５、トウ部６及びヒール部７で囲まれるキャビティ部９をさらに備える。当該ゴルフクラブヘッド１は、フェース部３の背面３ｂに接着される弾性部１０と、前記弾性部１０におけるフェース部３と反対の側に接着されるウェイト部１１とをさらに備える。
【００２３】
ヘッド本体２のホーゼル部８にシャフト２０が接続された状態で、当該ゴルフクラブヘッド１がゴルフクラブとして用いられる。ヘッド本体１は、鉄、ステンレス鋼等の金属又は合金を主成分とする。
【００２４】
ヘッド本体２の横慣性モーメントの下限としては、２５００ｇ・ｃｍ２であり、２６００ｇ・ｃｍ２がより好ましい。ヘッド本体２の横慣性モーメントが前記下限に満たない場合、打球の方向性に劣るおそれがある。一方、ヘッド本体２の横慣性モーメントの上限は、特に限定されず、当該ゴルフクラブヘッド１を備えるゴルフクラブの操作性、プレーヤーの使用感等に応じて適宜設定され得る。このような観点から、例えばヘッド本体２の横慣性モーメントの上限としては、５０００ｇ・ｃｍ２が好ましいものとしてもよい。
【００２５】
ヘッド本体２の重心点での反発係数、すなわちフェース部３のフェース面３ａにおける重心点での反発係数の下限としては、０．８である。ヘッド本体２の前記反発係数が前記下限に満たない場合、打球の飛距離が低下するおそれがある。一方、ヘッド本体２の前記反発係数の上限は、特に限定されず、競技規則等に応じて適宜設定され得る。例えば、競技規則で反発係数の上限が規定されている場合、ヘッド本体２の前記反発係数の上限を、競技規則に応じて設定することができる。
【００２６】
（フェース部）
フェース部３は、打撃面を構成するフェース面３ａと、このフェース面３ａの反対側の背面３ｂとを有する。フェース部３の平均厚さを変更することにより、前記反発係数を、前記範囲を満たすように調整することができる。フェース面３ａは、トウ−ヒール方向に直線状に延びるスコアラインを有する。
【００２７】
（キャビティ部）
キャビティ部９は、フェース部３の背面側に配置されている。キャビティ部９は、フェース部３、ソール部４、トップ部５、トウ部６及びヒール部７で囲まれることで構成されている空間である。キャビティ部９の後方への寸法を調整することで、ヘッド本体２の慣性モーメントを、前記範囲を満たすように調整することができる。よって、ヘッド本体２がキャビティ部９を備えることで、横慣性モーメントを前記範囲に設定することが容易となる。
【００２８】
（弾性部）
弾性部１０は、フェース部３の背面３ｂに接着されている。弾性部１０は、板状である。ヘッド本体２が弾性部１０を有することで、打球時におけるフェース部３の振動を吸収することができる。弾性部１０としては、公知のアクリル樹脂等の樹脂材料によって形成された板状の成形体等が挙げられる。弾性部１０をフェース部３の背面３ｂに接着するための接着剤としては、公知の粘着剤等が挙げられる。弾性部１０は、前記板状成形体と前記粘着剤とを有するものであってもよい。このような弾性部１０として、例えば板状のアクリル基材と、前記アクリル基材の両面に配置される粘着剤とを有する両面テープが挙げられる。弾性部１０が前記両面テープであることで、弾性部１０をフェース部３の背面３ｂに接着し易くなり、また、弾性部１０にウェイト部１１を接着し易くなるため、当該ゴルフクラブヘッド１が製造性に優れる。
【００２９】
弾性部１０の平均厚さＴの下限は、１ｍｍである。弾性部１０の平均厚さＴが上記下限に満たない場合、打音の十分な低減及び打感の十分な和らげが困難になるおそれがある。一方、弾性部１０の平均厚さＴの上限は、特に限定されず、キャビティ９のスペース、フェース部３の背面３ｂへの弾性部１０の接着状態、弾性部１０によるウェイト部１１の支持状態等に応じて適宜設定され得る。例えば弾性部１０の平均厚さＴの上限としては、３ｍｍが好ましく、２ｍｍがより好ましい。弾性部１０の平均厚さＴが上記上限を超える場合、弾性部１０によってウェイト部１１を十分に支持できないおそれがある。
【００３０】
弾性部１０の質量は、特に限定されず、適宜設定され得る。例えば、弾性部１０の質量は、後述するウェイト部１１との合計質量が後述する範囲となるように、かつウェイト部１１の質量に応じて適宜設定され得る。例えば弾性部１０の質量は１ｇ以上３ｇ以下とすることができる。
【００３１】
ウェイト部１１は、弾性部１０におけるフェース部３と反対の側の面に接着されている。ウェイト部１１は、弾性部１０よりも重い板状である。ウェイト部１１としては、弾性部１０よりも密度が大きい公知の樹脂材料、弾性部１０よりも密度が大きい公知の金属材料、又はこれらの組み合わせによって形成された板状の成形体等が挙げられる。ウェイト部１１を弾性部１０に接着するための接着剤としては、公知の粘着剤等が挙げられる。弾性部１０が前述した両面テープである場合、ウェイト部１１は、前記両面テープの粘着剤に接着される。
【００３２】
ウェイト部１１の質量は、弾性部１０の質量との関係で合計質量が前記範囲となるように設定される。弾性部１０及びウェイト部１１の合計質量の下限としては、１５ｇであり、２０ｇが好ましい。前記合計質量が上記下限に満たない場合、打音の十分な低減及び打感の十分な和らげが困難になるおそれがある。一方、前記合計質量の上限は、当該ゴルフクラブヘッド１を備えるゴルフクラブの操作性、プレーヤーの使用感等に応じて適宜設定され得る。例えば前記合計質量の上限としては、３５ｇが好ましく、３０ｇがより好ましく、２５ｇがより好ましい。前記合計質量が上記上限を超える場合、当該ゴルフクラブヘッド１を備えるゴルフクラブの操作性、プレーヤーの使用感が低下するおそれがある。
【００３３】
このようなウェイト部１１として、例えば銘板が挙げられる。ウェイト部１１が銘板である場合、この銘板の質量が、前記合計質量及び後述するウェイト部１１の質量の範囲を満たすように形成される。ウェイト部１１が銘板であることで、一般的に設けられる銘板を打音の低減及び打感の和らげに用いることができるため、当該ゴルフクラブヘッド１の優位性が高まる。
【００３４】
ウェイト部１１の質量は、前記合計質量が前記範囲を満たすように適宜設定され得る。例えばウェイト部１１の質量の下限としては、１０ｇが好ましく、１５ｇがより好ましい。ウェイト部１１の質量が前記下限に満たない場合、打音の十分な低減及び打感の十分な和らげが困難になるおそれがある。一方、ウェイト部１１の質量の上限としては、３０ｇが好ましく、２５ｇがさらに好ましい。記合計質量が上記上限を超える場合、当該ゴルフクラブヘッド１を備えるゴルフクラブの操作性、プレーヤーの使用感が低下するおそれがある。
【００３５】
＜利点＞
当該ゴルフクラブヘッド１は、ヘッド本体２の横慣性モーメントが２５００ｇ・ｃｍ２以であり、反発係数が０．８以上であり、弾性部１０の平均厚さＴが１ｍｍ以上であり、弾性部１０及びウェイト部１１の合計質量が１５ｇ以上であることで、打球の飛距離及び方向性を向上させつつ、打音を低減し、打感を和らげることが可能である。
【００３６】
［第２実施形態］
＜ゴルフクラブ＞
本実施形態のゴルフクラブは、シャフト２０と、前述した当該ゴルフクラブヘッド１とを備える。シャフト２０は、特に限定されず、従来公知のシャフト２０を採用し得る。当該ゴルフクラブヘッド１は、前述した通りである。従って、本実施形態のゴルフクラブの詳細な説明を省略する。
【００３７】
＜利点＞
本実施形態のゴルフクラブは、当該ゴルフクラブヘッド１を備えるため、前述の通り、打球の飛距離及び方向性を向上させつつ、打音を低減し、打感を和らげることが可能である。
【００３８】
［その他の実施形態］
前記実施形態は、本考案の構成を限定するものではない。従って、前記実施形態は、本明細書の記載及び技術常識に基づいて前記実施形態各部の構成要素の省略、置換又は追加が可能であり、それらは全て本考案の範囲に属するものと解釈されるべきである。
【００３９】
例えば前記実施形態では、当該ゴルフクラブヘッドがシャフトに取り付けられた場合について説明したが、当該ゴルフクラブヘッドは、シャフトに取り付け可能であればよく、取り付けられる前の状態であってもよい。
【実施例】
【００４０】
以下、実施例によって本考案をさらに具体的に説明するが、本考案は以下の実施例に限定されるものではない。
【００４１】
（参考例１）
アイアン型のゴルフクラブヘッドを備えるゴルフクラブとして、下記表１に示すように、軟鉄鍛造マッスルバックアイアン（横慣性モーメント：２０００ｇ・ｃｍ２、反発係数：０．７０）を用いた。このゴルフクラブについて、下記の評価方法で打音を評価した。結果を表２に示す。なお、参考例１のゴルフクラブは、ヘッド本体にキャビティを有していない。
【００４２】
・評価方法
５名のプレーヤー（プレーヤーＡ、Ｂ、Ｃ、Ｄ、Ｅ）が前記各ゴルフクラブを用いてゴルフボールを繰り返し打ち、フェース部におけるほぼ重心に近い位置で打った１回の打撃について、評価用に訓練された評価者が打音を下記の判定基準を用いて５段階で評価した。
【００４３】
・判定基準
評価者が、打音が静かであると判断した場合を優良であるとして「５」と表した。
評価者が、打音がやや静かであると判断した場合を良好であるとして「４」と表した。
評価者が、打音わずかに甲高いと判断した場合をやや不良であるとして「３」と表した。
評価者が、打音がやや甲高いと判断した場合を不良であるとして「２」と表した。
評価者が、打音が甲高いと判断した場合を極めて不良であるとして「１」と表した。
【００４４】
（比較例１）
アイアン型のゴルフクラブヘッドを備えるゴルフクラブとして、表１に示すように、高反発キャビティアイアン（横慣性モーメント：２６５０ｇ・ｃｍ２、反発係数：０．８２）を用いた。このゴルフクラブを用いること以外は参考例１と同様にして、打音を評価した。結果を表２に示す。なお、比較例１のゴルフクラブヘッドは、ヘッド本体にキャビティを有する一方、フェース部の背面に弾性部もウェイト部も接着されていない。
【００４５】
（比較例２）
表１に示すように、比較例１と同様の高反発キャビティアイアン（横慣性モーメント：２６５０ｇ・ｃｍ２、反発係数：０．８２）におけるフェース部の背面に、弾性部を介してウェイト部を接着して、ゴルフクラブを作製した。弾性部として、アクリル基板の両面に粘着剤が配置されて形成された両面テープ（平均厚さ１．２ｍｍ、質量２ｇ）を用いた。ウェイト部として、１０ｇに質量が調整された銘板を用いた。このようにして作製したゴルフクラブを用いること以外は参考例１と同様にして、打音を評価した。結果を表２に示す。なお、前記両面テープとしてものを用いた。
【００４６】
（実施例１）
表１に示すように、ウェイト部として、１０ｇに質量が調整された銘板に代えて２２．５ｇに質量が調整された銘板を用いること以外は比較例２と同様にして、ゴルフクラブを作製した。このゴルフクラブを用いること以外は参考例１と同様にして、打音を評価した。結果を表２に示す。
【００４７】
【表１】
0003226471.tif 000003
【００４８】
【表２】
0003226471.tif 000004
【００４９】
表１に示すように、実施例１は、比較例１、２よりも打音が低減され、その打音は参考例１と同程度であった。なお、実施例１は、打音の低減に伴って、打感も和らぐものと推察される。
【産業上の利用可能性】
【００５０】
本考案に係るゴルフクラブヘッド及びゴルフクラブは、打球の飛距離及び方向性を向上させつつ、打音を低減し、打感を和らげることが可能である。従って、これらは、使用感に優れる種々のゴルフクラグヘッド及びゴルフクラブとして好適に利用することができる。
【符号の説明】
【００５１】
１  ゴルフクラブヘッド
２  ヘッド本体
３  フェース部
３ａ  フェース面
３ｂ  背面
４  ソール部
５  トップ部
６  トウ部
７  ヒール部
８  ホーゼル部
９  キャビティ部
１０  弾性部
１１  ウェイト部
２０  シャフト
Ｔ  平均厚さ
【図１】
0003226471.tif 000005
【図２】
0003226471.tif 000006
【図３】
0003226471.tif 000007